(57)【特許請求の範囲】
【請求項１】
収納部は、底面部、第１側面部及び第２側面部を有し、
収納部を構成する底面部、第１側面部及び第２側面部のうち少なくとも一つの一端部と、前記一端部以外の前記一端部に隣接する底面部、第１側面部又は第２側面部の他端部であって、前記一端部に直交する方向にのびる他端部とを有する隅部において、
前記収納部の前記一端部の直線状の稜線と前記収納部の前記他端部の直線状の稜線とが、曲線状の稜線を介して斜めに接続されたことを特徴とする、隅部の構造。
【請求項２】
上端に開口部を有する収納部を有する収納具の隅部の構造であって、
前記収納部は、
矩形状の底面部、
前記一端部を構成する底面部の一方向における一端からのびて形成される、前記他端部を構成する第１側面部、及び
前記底面部の前記一方向における他端からのびて形成される、前記他端部を構成する第２側面部を含み、
前記底面部の前記一方向に直交する直交方向における中間に、稜線を構成する底面折曲部が形成され、
前記第１側面部の前記直交方向における中間に、稜線を構成する第１側面折曲部が形成され、
前記第２側面部の前記直交方向における中間に、稜線を構成する第２側面折曲部が形成され、
前記底面折曲部及び前記第１側面折曲部間に、稜線を構成する第１傾斜折曲部が斜めに形成され、
前記底面折曲部及び前記第２側面折曲部間に、稜線を構成する第２傾斜折曲部が斜めに形成され、
前記底面折曲部及び前記第１側面折曲部は、それぞれ、曲線状の第１曲線折曲部を介して前記第１傾斜折曲部に接続され、さらに
前記底面折曲部及び前記第２側面折曲部は、それぞれ、曲線状の第２曲線折曲部を介して前記第２傾斜折曲部に接続された、請求項１に記載の隅部の構造。
【請求項３】
前記底面部、前記第１側面部及び前記第２側面部の前記直交方向における一端側に固着される表胴部、及び
前記底面部、前記第１側面部及び前記第２側面部の前記直交方向における他端側に固着される裏胴部を含む、請求項１又は請求項２に記載の隅部の構造。
【請求項４】
前記表胴部は、前記底面部の前記直交方向における一端からのびて形成され、さらに
前記裏胴部は、前記底面部の前記直交方向における他端からのびて形成される、請求項３に記載の隅部の構造。
【請求項５】
前記収納部の前記底面部、前記第１側面部及び前記第２側面部は蛇腹状に形成され、
前記収納部の内部に、前記収納部の内部を前記底面部の前記直交方向において仕切るための仕切部が形成された、請求項１又は請求項２に記載の隅部の構造。
【請求項６】
前記底面折曲部は、
前記底面部の直交方向における中央で外側に突出した、稜線を有する底面谷折部、及び
前記底面谷折部の両側で内側に突出する底面山折部を含み、
前記第１側面折曲部は、
前記第１側面部の幅方向における中央で内側に突出する第１側面山折部、及び
前記第１側面山折部の両側で外側に突出した、稜線を有する第１側面谷折部を含み、
前記第２側面折曲部は、
前記第２側面部の幅方向における中央で内側に突出する第２側面山折部、及び
前記第２側面山折部の両側で外側に突出した、稜線を有する第２側面谷折部を含む、請求項１ないし請求項５のいずれかに記載の隅部の構造。
【請求項７】
前記一端部の直線状の稜線と前記他端部の直線状の稜線とは、曲線状の稜線を介して途切れるようにして斜めに接続されている、請求項１ないし請求項６のいずれかに記載の隅部の構造。
【請求項８】
前記一端部の直線状の稜線および前記他端部の直線状の稜線の少なくとも一方は、少なくとも一部分が途切れている、請求項１ないし請求項７のいずれかに記載の隅部の構造。
【発明の詳細な説明】
【技術分野】
【０００１】
この発明は隅部の構造に関し、特にたとえば、カード体，小物などを収納して、保管，持ち運びするための収納部が形成されたエンベロープ、ホルダーやドキュメントファイルなどの収納具の隅部の構造に関する。
【背景技術】
【０００２】
このような収納具としては、例えば、側壁を蛇腹状に形成したドキュメントケースがある。このドキュメントケースは、矩形状隔壁部を複数連接し、それらの境界を屏風状に折り曲げ、隣り合う２枚を１対として各対の境界部側縁に切込みを入れ、且つ前記各対の隔壁部側縁同士を接合したことを特徴とする、ドキュメントケースである（例えば、特許文献１参照）。
【先行技術文献】
【特許文献】
【０００３】
【特許文献１】特開２００４−７４６９８号公報
【発明の概要】
【発明が解決しようとする課題】
【０００４】
ところが、このような従来のドキュメントケースでは、ポケット部の底縁部が外側に突出する谷折状に形成され、さらに、ポケット部の側縁部も外側に突出する谷折状に形成されていて、ポケット部の底隅部が角張った状態となり、見た目にも硬く、当たると痛みを感じるという危険性もある。
【０００５】
それゆえに、この発明の主たる目的は、角張っていない隅部の構造を提供することである。
【課題を解決するための手段】
【０００６】
この発明の請求項１にかかる隅部の構造は、収納部が、底面部、第１側面部及び第２側面部を有し、収納部を構成する底面部、第１側面部及び第２側面部のうち少なくとも一つの一端部と、前記一端部以外の前記一端部に隣接する底面部、第１側面部又は第２側面部の他端部であって、前記一端部に直交する方向にのびる他端部とを有する隅部において、前記収納部の前記一端部の直線状の稜線と前記収納部の前記他端部の直線状の稜線とが、曲線状の稜線を介して斜めに接続されたことを特徴とする、隅部の構造である。
この発明の請求項２にかかる隅部の構造は、上端に開口部を有する収納部を有する収納具の隅部の構造であって、前記収納部が、矩形状の底面部、前記一端部を構成する底面部の一方向における一端からのびて形成される、前記他端部を構成する第１側面部、及び前記底面部の前記一方向における他端からのびて形成される、前記他端部を構成する第２側面部を含み、前記底面部の前記一方向に直交する直交方向における中間に、稜線を構成する底面折曲部が形成され、前記第１側面部の前記直交方向における中間に、稜線を構成する第１側面折曲部が形成され、前記第２側面部の前記直交方向における中間に、稜線を構成する第２側面折曲部が形成され、前記底面折曲部及び前記第１側面折曲部間に、稜線を構成する第１傾斜折曲部が斜めに形成され、前記底面折曲部及び前記第２側面折曲部間に、稜線を構成する第２傾斜折曲部が斜めに形成され、前記底面折曲部及び前記第１側面折曲部は、それぞれ、曲線状の第１曲線折曲部を介して前記第１傾斜折曲部に接続され、さらに前記底面折曲部及び前記第２側面折曲部は、それぞれ、曲線状の第２曲線折曲部を介して前記第２傾斜折曲部に接続された、請求項１に記載の隅部の構造である。
この発明の請求項３にかかる隅部の構造は、前記底面部、前記第１側面部及び前記第２側面部の前記直交方向における一端側に固着される表胴部、及び前記底面部、前記第１側面部及び前記第２側面部の前記直交方向における他端側に固着される裏胴部を含む、請求項１又は請求項２に記載の隅部の構造である。
この発明の請求項４にかかる隅部の構造においては、前記表胴部が、前記底面部の前記直交方向における一端からのびて形成され、さらに前記裏胴部が、前記底面部の前記直交方向における他端からのびて形成される、請求項３に記載の隅部の構造である。
この発明の請求項５にかかる隅部の構造は、前記収納部の前記底面部、前記第１側面部及び前記第２側面部は蛇腹状に形成され、前記収納部の内部に、前記収納部の内部を前記底面部の前記直交方向において仕切るための仕切部が形成された、請求項１又は請求項２に記載の隅部の構造である。
この発明の請求項６にかかる隅部の構造においては、前記底面折曲部が、前記底面部の直交方向における中央で外側に突出した、稜線を有する底面谷折部、及び前記底面谷折部の両側で内側に突出する底面山折部を含み、前記第１側面折曲部は、前記第１側面部の幅方向における中央で内側に突出する第１側面山折部、及び前記第１側面山折部の両側で外側に突出した、稜線を有する第１側面谷折部を含み、前記第２側面折曲部は、前記第２側面部の幅方向における中央で内側に突出する第２側面山折部、及び前記第２側面山折部の両側で外側に突出した、稜線を有する第２側面谷折部を含む、請求項１ないし請求項５のいずれかに記載の隅部の構造である。
この発明の請求項７にかかる隅部の構造は、前記一端部の直線状の稜線と前記他端部の直線状の稜線とは、曲線状の稜線を介して途切れるようにして斜めに接続されている、請求項１ないし請求項６のいずれかに記載の隅部の構造である。
この発明の請求項８にかかる隅部の構造においては、前記一端部の直線状の稜線および前記他端部の直線状の稜線の少なくとも一方が、少なくとも一部分が途切れている、請求項１ないし請求項７のいずれかに記載の隅部の構造である。
【発明の効果】
【０００７】
請求項１の発明によれば、収納部は、底面部、第１側面部及び第２側面部を有し、収納部を構成する底面部、第１側面部及び第２側面部のうち少なくとも一つの一端部と、前記一端部以外の前記一端部に隣接する底面部、第１側面部又は第２側面部の他端部であって、前記一端部に直交する方向にのびる他端部とを有する隅部において、前記収納部の前記一端部の直線状の稜線と前記収納部の前記他端部の直線状の稜線とが、曲線状の稜線を介して斜めに接続されているので、角張っていない隅部の構造を提供することができる。
請求項２の発明によれば、上端に開口部を有する収納部を有する収納具の隅部の構造であって、前記収納部は、矩形状の底面部、前記一端部を構成する底面部の一方向における一端からのびて形成される、前記他端部を構成する第１側面部、及び前記底面部の前記一方向における他端からのびて形成される、前記他端部を構成する第２側面部を含み、前記底面部の前記一方向に直交する直交方向における中間に、稜線を構成する底面折曲部が形成され、前記第１側面部の前記直交方向における中間に、稜線を構成する第１側面折曲部が形成され、前記第２側面部の前記直交方向における中間に、稜線を構成する第２側面折曲部が形成され、前記底面折曲部及び前記第１側面折曲部間に、稜線を構成する第１傾斜折曲部が斜めに形成され、前記底面折曲部及び前記第２側面折曲部間に、稜線を構成する第２傾斜折曲部が斜めに形成され、前記底面折曲部及び前記第１側面折曲部は、それぞれ、曲線状の第１曲線折曲部を介して前記第１傾斜折曲部に接続され、さらに前記底面折曲部及び前記第２側面折曲部は、それぞれ、曲線状の第２曲線折曲部を介して前記第２傾斜折曲部に接続されているので、収納部の底隅部があまり角張っていない収納具を提供することができる。
請求項３の発明によれば、前記底面部、前記第１側面部及び前記第２側面部の前記直交方向における一端側に固着される表胴部、及び前記底面部、前記第１側面部及び前記第２側面部の前記直交方向における他端側に固着される裏胴部を含むので、収納部を保型することができる。
請求項４の発明によれば、前記表胴部は、前記底面部の前記直交方向における一端からのびて形成され、さらに前記裏胴部は、前記底面部の前記直交方向における他端からのびて形成されているので、表胴部及び裏胴部を、底面部と一体に形成できる。
請求項５の発明によれば、前記収納部の前記底面部、前記第１側面部及び前記第２側面部は蛇腹状に形成され、前記収納部の内部に、前記収納部の内部を前記底面部の前記直交方向において仕切るための仕切部が形成されているので、底面部、第１側面部及び第２側面部を、アコーディオン状に開閉することができる。
請求項６の発明によれば、前記底面折曲部は、前記底面部の直交方向における中央で外側に突出した、稜線を有する底面谷折部、及び前記底面谷折部の両側で内側に突出する底面山折部を含み、前記第１側面折曲部は、前記第１側面部の幅方向における中央で内側に突出する第１側面山折部、及び前記第１側面山折部の両側で外側に突出した、稜線を有する第１側面谷折部を含み、前記第２側面折曲部は、前記第２側面部の幅方向における中央で内側に突出する第２側面山折部、及び前記第２側面山折部の両側で外側に突出した、稜線を有する第２側面谷折部を含むので、収納部の隅部をいわゆる面取りした構造とすることができる。
請求項７の発明によれば、前記一端部の直線状の稜線と前記他端部の直線状の稜線とは、曲線状の稜線を介して途切れるようにして斜めに接続されているので、曲線状の稜線により丸みを有する隅角部を形成することができ、且つ、いわゆる面取りした隅部を形成することができる。
請求項８の発明によれば、前記一端部の直線状の稜線および前記他端部の直線状の稜線の少なくとも一方は、少なくとも一部分が途切れているので、隅部を構成できる。
【０００８】
この発明の上述の目的、その他の目的、特徴及び利点は、図面を参照して行う以下の発明を実施するための形態の説明から一層明らかとなろう。
【図面の簡単な説明】
【０００９】
【図１】この発明の第１の実施の形態の隅部の構造を備えた収納具の収納部の構造の展開状態を示す斜視図解図である。
【図２】この発明の第１の実施の形態の隅部の構造を備えた収納具の収納部を閉じた状態を示す斜視図解図である。
【図３Ａ】収納部の断面図解図である。
【図３Ｂ】収納部の断面図解図である。
【図３Ｃ】収納具の側面図面図である。
【図３Ｄ】収納具の底面図面図である。
【図３Ｅ】収納具の平面図面図である。
【図３Ｆ】縁部材を平面視した斜視図解図である。
【図４Ａ】縁部材の展開状態を示す底面図解図である。
【図４Ｂ】縁部材の展開状態を示す底面拡大図解図である。
【図４Ｃ】図４Ｂの隅角部の拡大図解図である。
【図５Ａ】縁部材の展開状態を示す平面図解図である。
【図５Ｂ】縁部材の展開状態を示す平面拡大図解図である。
【図５Ｃ】縁部材の展開状態を示す底面拡大図解図である。
【図６】縁部材により収納部を組み立てる方法を示す斜視図解図である。
【図７】縁部材により収納部を組み立てる方法を示す斜視図解図である。
【図８】仕切部材の正面図解図である。
【図９】縁部材に仕切部材を固定する方法を示す斜視図解図である。
【図１０】収納部の斜視図解図である。
【図１１】この発明の第２の実施の形態の隅部の構造を備えた収納具の収納部の構造の展開状態を示す斜視図解図である。
【図１２】この発明の第２の実施の形態の隅部の構造を備えた収納具の収納部を閉じた状態を示す斜視図解図である。
【図１３】縁部材の展開状態を示す底面図解図である。
【図１４】縁部材の展開状態を示す底面拡大図解図である。
【図１５】縁部材により収納部を組み立てる方法を示す斜視図解図である。
【図１６Ａ】収納部の断面図面図である。
【図１６Ｂ】収納部の断面図面図である。
【図１７Ａ】縁部材により収納部を組み立てる方法を示す斜視図解図である。
【図１７Ｂ】縁部材により収納部を組み立てる方法を示す断面図解図である。
【図１８】縁部材により収納部を組み立てる方法を示す断面図解図である。
【図１９】この発明の第３の実施の形態の収納具の収納部の構造の展開状態を示す斜視図解図である。
【図２０】この発明の第３の実施の形態の隅部の構造を備えた収納具の平面図解図である。
【図２１】この発明の第３の実施の形態の隅部の構造を備えた収納具の平面図解図である。
【図２２Ａ】縁部材の他の例の展開状態を示す底面拡大図解図である。
【図２２Ｂ】縁部材の他の例の展開状態を示す平面拡大図解図である。
【図２３】第１傾斜折曲部などの他の例を示す図解図である。
【図２４】第１傾斜折曲部などのさらに他の例を示す図解図である。
【図２５】収納部を有する収納具の説明図である。
【発明を実施するための形態】
【００１０】
この発明にかかる収納具１０は、胴部２０と、胴部２０の内面に設けられた、隅部の構造を備えた収納部３０とを有している。
この収納具１０は、複数の用紙、カード体等の被収納物Ｘを並列して合わせて収納するものであり、例えばノート、クレジットカード、名刺、小物等の収納に適している。
【００１１】
胴部２０は、比較的硬質なプラスチック板製であり、収納部３０を覆う適宜な広さを有する略方形状の表胴部２２及び略方形状の裏胴部２４を含む。
【００１２】
収納部３０は、前記表胴部２２と前記裏胴部２４との間において開口部３２を有する袋状部３４が連続して複数並列して設けられている。
袋状部３４は、比較的柔軟なプラスチックシート製であり、略方形の第１主面部４２と底縁部５２及び右側側縁部５４並びに左側側縁部５６を挟んで第１主面部４２に対向する略方形の第２主面部４４とを連結されて収納部３０を形成する。
【００１３】
収納部３０は、底縁部５２と右側側縁部５４とが交わる第１隅部６０及び底縁部５２と左側側縁部５６とが交わる第２隅部６２が、傾斜折曲部によって丸みを有するいわゆる面取りされた隅部の構造を有し、底縁部５２と右側側縁部５４と交差する部分及び底縁部５２と左側側縁部５６とが交差する部分は、曲線折曲部によって角張らず、丸みを有している。
【００１４】
直線状の底縁部５２及び底縁部５２に交差する直線状の右側側縁部５４並びに直線状の、左側側縁部５６は、隣接する底縁部５２、右側側縁部５４及び左側側縁部５６が適宜な間隔をおいて重なり複数並列して連続されて、袋状部３４を蛇腹状に並列されるように形成されている。
収納部３０を構成する袋状部３４は、各袋状部を構成する隣り合う第１袋状部３４ａと第２袋状部３４ｂとの間に第１主面部４２及び第２主面部４４を設けられ、区画されている。
第１袋状部３４ａは、対向する第１主面部４２と第２主面部４４とによって囲まれた、収納空間を備え、第１袋状部３４ａと手前側において隣り合う第２袋状部３４ｂは、前記第１袋状部３４ａを形成する第２主面部４４と第２主面部４４に対向する第１主面部４２とによって囲まれた、収納空間を備える。更に、第２袋状部３４ｂに手前側において隣り合う第１袋状部３４ａは、前記第２袋状部３４ｂを形成する第１主面部４２と第１主面部４２に対向する第２主面部４４とによって囲まれた、収納空間を備える。
右側側縁部５４と左側側縁部５６との間において、第１主面部４２と第２主面部４４とが離れるように構成された直線状の開口縁部５８を形成されている。
【００１５】
この袋状部３４は、被収納物Ｘを収納可能であり、前記並列された複数の袋状部３４の各開口部３２間の空間が伸縮自在に形成されている。
右側側縁部５４及び左側側縁部５６は、垂直方向にのびており、水平方向にのびる開口縁部５８及び底縁部５２と直交ないしは交差する。
【００１６】
収納部３０は、開口部３２を有する袋状部３４が底縁部５２、右側側縁部５４及び左側側縁部５６が複数並列して連続して連結されており、開口部３２を構成する開口縁部５８が複数並列され、隣接する第１袋状部３４ａと第２袋状部３４ｂとを連設する袋状部３４の開口縁部５８の間の空間が伸縮自在に形成されたものである。袋状部３４を構成する各第１袋状部３４ａ及び第２袋状部３４ｂは同形、同大で、開口縁部５８及び底縁部５２は、それぞれ水平面上に一直線に並び、右側側縁部５４及び左側側縁部５６は、垂直面上に一直線に並ぶ。
この実施の形態においては、開口縁部５８と底縁部５２とは平行で、開口縁部５８及び底縁部５２と右側側縁部５４及び左側側縁部５６とは、直交する。
右側側縁部５４及び左側側縁部５６は、底縁部５２の左右端と開口縁部５８の左右端との間において、形成されている。
収納部３０が胴部２０の表胴部２２と裏胴部２４との間に固定されることにより、胴部２０の開閉に伴って収納部３０の開口部３２側が拡がる略扇子状又は底縁部５２及び右側側縁部５４及び左側側縁部５６が均等に広がるアコーディオン状に伸縮する。
【００１７】
収納部３０は、底縁部５２及び右側側縁部５４及び左側側縁部５６を連結して一体成形された、縁部材７０と、前記縁部材７０に連結される第１主面部４２及び第２主面部４４を構成する仕切部材１７０とにより形成される。
【００１８】
上端に開口部３２を有する収納部３０を構成する縁部材７０は、組み立てられて収納部３０を形成された収納部３０の下縁の両隅部が、丸みを有するいわゆる面取りされた隅部の構造を備えるように構成されている。
面取りされた隅部の構造は、収納部３０を構成する一端部と、前記一端部以外の他端部であって前記一端部に直交する方向にのびる他端部とを有する隅部において、前記収納部３０の前記一端部の直線状の稜線と前記収納部３０の前記他端部の直線状の稜線とが、丸みを有する曲線状の稜線（曲線折曲部）を介して、斜めに傾斜折曲部によって接続されたことを特徴する。
【００１９】
前記縁部材７０は、矩形状の底面部７２と、前記一端部を構成する底面部７２の一方向における一端からのびて形成される、前記他端部を構成する矩形状の第１側面部７４と、及び前記底面部７２の前記一方向における他端からのびて形成される、前記他端部を構成する矩形状の第２側面部７６とを含む。
第１側面部７４と第２側面部７６とは、対称に形成されている。
【００２０】
前記底面部７２は、その前記一方向に直交する直交方向（前後方向）における中間に、稜線を構成する底面折曲部８０を形成されている。
前記第１側面部７４は、その前記直交方向（前後方向）における中間に、稜線を構成する第１側面折曲部９０を形成されている。
前記第２側面部７６は、その前記直交方向（前後方向）における中間に、稜線を構成する第２側面折曲部１００を形成されている。
前記底面折曲部８０及び前記第１側面折曲部９０間に、稜線を構成する第１傾斜折曲部１１０が斜めに形成され、前記底面折曲部８０及び前記第２側面折曲部１００間に、稜線を構成する第２傾斜折曲部１２０が斜めに形成されている。
前記底面折曲部８０及び前記第１側面折曲部９０は、それぞれ、曲線状の向こう側の第１曲線折曲部１３０及び手前側の第１曲線折曲部１３２を介して前記第１傾斜折曲部１１０に接続されている。第１側面折曲部９０と第１傾斜折曲部１１０とは、上方の向こう側の第１曲線折曲部１３０により斜交するように接続され、底面折曲部８０と第１傾斜折曲部１１０とは、下方の手前側の第１曲線折曲部１３２により斜交するように接続されている。
更に、前記底面折曲部８０及び前記第２側面折曲部１００は、それぞれ、曲線状の向こう側の第２曲線折曲部１４０及び手前側の第２曲線折曲部１４２を介して前記第２傾斜折曲部１２０に接続されている。第２側面折曲部１００と第２傾斜折曲部１２０とは、上方の向こう側の第２曲線折曲部１４０により斜交するように接続され、底面折曲部８０と第２傾斜折曲部１２０とは、下方の手前側の第２曲線折曲部１４２により斜交するように接続されている。
【００２１】
底面折曲部８０と第１側面折曲部９０とは、平行で、空間をあけて並列されており、且つ、底面折曲部８０の外側（右側端）と第１側面折曲部９０の内側（左側端）とは、面取りされた第１隅部６０を形成するための適宜な間隔をおいて向き合う。
縁部材７０を展開した状態において、底面折曲部８０の外側（右側端）と第１傾斜折曲部１１０の手前側端とは、手前側の第１曲線折曲部１３２を介して接続されており、且つ、第１側面折曲部９０の内側（左側端）と第１傾斜折曲部１１０の向こう側端とは、向こう側の第１曲線折曲部１３０を介して接続されている。
底面折曲部８０と第２側面折曲部１００とは、平行で、空間をあけて並列されており、且つ、底面折曲部８０の外側（左側端）と第２側面折曲部１００の内側（右側端）とは、面取りされた第２隅部６２を形成するための適宜な間隔をおいて向き合う。
縁部材７０を展開した状態において、底面折曲部８０の外側（左側端）と第２傾斜折曲部１２０の手前側端とは、手前側の第２曲線折曲部１４２を介して接続されており、且つ、第２側面折曲部１００の内側（右側端）と第２傾斜折曲部１２０の向こう側端とは、向こう側の第２曲線折曲部１４０を介して接続されている。
【００２２】
前記底面折曲部８０は、前記底面部７２の前記前後方向における中央において外側に向けて突出した、稜線を有する底面谷折部８４、及び前記底面谷折部８４の両側において内側に向けて突出する底面山折部８２を含む。
前記第１側面折曲部９０は、前記第１側面部７４の前後方向（縁部材７０を展開した状態における幅方向）における中央で内側に向けて突出する第１側面山折部９２、及び前記第１側面山折部９２の両側で外側に向けて突出した、稜線を有する第１側面谷折部９４を含む。
前記第２側面折曲部１００は、前記第２側面部７６の前後方向（縁部材７０を展開した状態における幅方向）における中央で内側に向けて突出する第２側面山折部１０２、及び前記第２側面山折部１０２の両側で外側に向けて突出した、稜線を有する第２側面谷折部１０４を含む。
【００２３】
縁部材７０を展開した状態において、第１袋状部３４ａの向こう側の第１曲線折曲部１３０と、第１袋状部３４ａに隣接する第１袋状部３４ａと第２袋状部３４ｂとの間の手前側の第１曲線折曲部１３２との間には、第３傾斜折曲部１１２が形成されている。そして、第３傾斜折曲部１１２は、向こう側の第１曲線折曲部１３０及び手前側の第１曲線折曲部１３２とは、接続されていない。
縁部材７０を展開した状態において、第１袋状部３４ａの向こう側の第２曲線折曲部１４０と、第１袋状部３４ａに隣接する第１袋状部３４ａと第２袋状部３４ｂとの間の手前側の第２曲線折曲部１４２との間には、第４傾斜折曲部１２２が形成されている。そして、第４傾斜折曲部１２２は、向こう側の第２曲線折曲部１４０及び手前側の第２曲線折曲部１４２とは、接続されていない。
縁部材７０を展開した状態において、第１傾斜折曲部１１０と第３傾斜折曲部１１２とは、約９０度の角度を有しており、又、第２傾斜折曲部１２０と第４傾斜折曲部１２２とは、約９０度の角度を有している。
【００２４】
底面山折部８２と底面谷折部８４とは、平行で、面取りされた第１隅部６０を形成するための適宜な間隔をおいて並列されており、底面谷折部８４の外側（右側端）と第１側面谷折部９４の内側（左側端）とは、面取りされた第１隅部６０を形成するための適宜な間隔をおいて向き合う。
縁部材７０を展開した状態において、底面谷折部８４の外側（右側端）と第１傾斜折曲部１１０の手前側端とは、丸みを有する隅部を形成するための手前側の第１曲線折曲部１３２を介して接続されており、且つ、第１側面谷折部９４の内側（左側端）と第１傾斜折曲部１１０の向こう側端とは、丸みを有する隅部を形成するための向こう側の第１曲線折曲部１３０を介して接続されている。
縁部材７０を展開した状態において、底面谷折部８４の外側（左側端）と第２傾斜折曲部１２０の手前側端とは、丸みを有する隅部を形成するための手前側の第２曲線折曲部１４２を介して接続されており、且つ、第２側面谷折部１０４の内側（右側端）と第２傾斜折曲部１２０の向こう側端とは、丸みを有する隅部を形成するための向こう側の第２曲線折曲部１４０を介して接続されている。
【００２５】
縁部材７０を展開した状態において、向こう側の第１曲線折曲部１３０は、第１側面谷折部９４（を延長した線）と第１傾斜折曲部１１０（を延長した線分）とに内接する円の一部の円弧により構成されている。
縁部材７０を展開した状態において、手前側の第１曲線折曲部１３２は、底面谷折部８４（を延長した線）と第１傾斜折曲部１１０（を延長した線分）とに内接する円の一部の円弧により構成されている。
縁部材７０を展開した状態において、向こう側の第２曲線折曲部１４０は、第２側面谷折部１０４（を延長した線）と第１傾斜折曲部１１０（を延長した線分）とに内接する円の一部の円弧により構成されている。
縁部材７０を展開した状態において、手前側の第２曲線折曲部１４２は、底面谷折部８４（を延長した線）と第２傾斜折曲部１２０（を延長した線分）とに内接する円の一部の円弧により構成されている。
而して、向こう側の第１曲線折曲部１３０及び手前側の第１曲線折曲部１３２の領域は、折り曲げ易くしたために、わん曲した丸みを備える隅角部を形成される。
向こう側の第２曲線折曲部１４０及び手前側の第２曲線折曲部１４２の領域は、折り曲げ易くしたために、わん曲した丸みを備える隅角部を形成される。
【００２６】
第１側面山折部９２と第１側面谷折部９４とは平行で、面取りされた第１隅部６０を形成するための適宜な間隔をおいて並列されており、第１側面谷折部９４の内側（左側端）と底面谷折部８４の外側（右側端）とは、面取りされた第１隅部６０を形成するための適宜な間隔をおいて向き合う。
底面谷折部８４と第１側面山折部９２とは、一直線状に並んでおり、第１側面山折部９２の内側（左側端）は、底面谷折部８４とは接することなく、手前側の第１曲線折曲部１３２の近くに至るが間隔をおいている。
第１側面山折部９２の内側（左側端）の近くから、第１側面谷折部９４の内側（左側端）及び向こう側の第１曲線折曲部１３０の近くに至る、直線状の第３傾斜折曲部１１２が形成されている。
第１傾斜折曲部１１０と第３傾斜折曲部１１２とは、縁部材７０を展開した状態において、略９０度の角度を備えており、第１側面谷折部９４の内側（左側端）から、底面山折部８２を挟んで形成された向こう側の底面谷折部８４と手前側の底面谷折部８４とに向けてのびている。
第１側面山折部９２の内側（左側端）と第３傾斜折曲部１１２の内側（左側端）とは適宜な間隔をあけて形成してもよく、又、図２２Ａ及び図２２Ｂにおいて示すように連続されてもよい。
【００２７】
第２側面山折部１０２と第２側面谷折部１０４とは、平行で、面取りされた第２隅部６２を形成するための適宜な間隔をおいて並列されており、第２側面谷折部１０４の内側（右側端）と底面谷折部８４の外側（左側端）とは、面取りされた第２隅部６２を形成するための適宜な間隔をおいて向き合う。
底面谷折部８４と第２側面山折部１０２とは、一直線状に並んでおり、第２側面山折部１０２の内側（右側端）は、底面谷折部８４とは接することなく、手前側の第２曲線折曲部１４２の近くに至るが間隔をおいている。
第２側面山折部１０２の内側（右側端）の近くから、第２側面谷折部１０４の内側（右側端）及び向こう側の第２曲線折曲部１４０の近くに至る、直線状の第４傾斜折曲部１２２が形成されている。
第２傾斜折曲部１２０と第４傾斜折曲部１２２とは、縁部材７０を展開した状態において、略９０度の角度を備えており、第２側面谷折部１０４の内側（右側端）から、底面山折部８２を挟んで形成された向こう側の底面谷折部８４と手前側の底面谷折部８４とに向けてのびている。
第２側面山折部１０２の内側（右側端）と第４傾斜折曲部１２２の内側（右側端）とは適宜な間隔をあけて形成してもよく、又、図２２Ａ及び図２２Ｂにおいて示すように連続されてもよい。
【００２８】
第１側面山折部９２と第１側面谷折部９４との間隔及び向こう側の第１曲線折曲部１３０と手前側の第１曲線折曲部１３２との間隔は、第１隅部６０の形状、傾斜角度を決定する。
第２側面山折部１０２と第２側面谷折部１０４との間隔及び向こう側の第２曲線折曲部１４０と手前側の第２曲線折曲部１４２との間隔は、第２隅部６２の形状、傾斜角度を決定する。
すなわち、第１傾斜折曲部１１０は、縁部材７０を展開した状態において、第１側面山折部９２と第１側面谷折部９４及び向こう側の第１曲線折曲部１３０と手前側の第１曲線折曲部１３２に囲まれた方形の対角線であることにより、第１隅部６０の形状、傾斜角度を決定する。
第２傾斜折曲部１２０は、縁部材７０を展開した状態において、第２側面山折部１０２と第２側面谷折部１０４及び向こう側の第２曲線折曲部１４０と手前側の第２曲線折曲部１４２に囲まれた方形の対角線であることにより、第２隅部６２の形状、傾斜角度を決定する。
【００２９】
底面谷折部８４と第１側面谷折部９４及び第２側面谷折部１０４とは谷折りされている。また、第１傾斜折曲部１１０及び第３傾斜折曲部１１２と第２傾斜折曲部１２０及び第４傾斜折曲部１２２とは、谷折りされている。
而して、底面谷折部８４と第１傾斜折曲部１１０及び第３傾斜折曲部１１２とは、それぞれ谷底が手前側の第１曲線折曲部１３２を介して連続し、且つ、第１側面谷折部９４と１傾斜折曲部１１０及び第３傾斜折曲部１１２とは、それぞれ谷底が向こう側の第１曲線折曲部１３０を介して連続する（図３参照）。
また、底面谷折部８４と第２傾斜折曲部１２０及び第４傾斜折曲部１２２とは、それぞれ谷底が手前側の第２曲線折曲部１４２を介して連続し、且つ、第２側面谷折部１０４と第２傾斜折曲部１２０及び第４傾斜折曲部１２２とは、それぞれ谷底が向こう側の第２曲線折曲部１４０を介して連続する（図３参照）。
ここにおいて、谷折りとは、平面視（開口部３２から見たとき）谷折りであり、底面視（下から見たとき）は山折りとなる。すなわち、底面谷折部８４と第１側面谷折部９４及び第２側面谷折部１０４と第１傾斜折曲部１１０及び第３傾斜折曲部１１２と第２傾斜折曲部１２０及び第４傾斜折曲部１２２とは、谷折りされたとき、平面視（開口部３２から見たとき）谷底が、底面視（下から見たとき）の稜線を構成する。
【００３０】
第１側面山折部９２及び第１側面谷折部９４と第２側面山折部１０２及び第２側面谷折部１０４とは対称であり、第１傾斜折曲部１１０及び第３傾斜折曲部１１２と第２傾斜折曲部１２０及び第４傾斜折曲部１２２とは対称である。
手前側の第１側面構成材７４ａ及び向こう側の第１側面構成材７４ｂと手前側の第２側面構成材７６ａと向こう側の第２側面構成材７６ｂとは対称である。
手前側の隅部構成材６０ａ及び向こう側の隅部構成材６０ｂと手前側の隅部構成材６２ａ及び向こう側の隅部構成材６２ｂとは対称である。
【００３１】
前記収納部３０を構成するために並列された複数の前記底面部７２、前記第１側面部７４及び前記第２側面部７６は、蛇腹状に形成され、前記収納部３０の内部を前記底面部７２の直交方向において仕切るための第１主面部４２及び第２主面部４４からなる仕切部が、前記収納部３０の内部に形成されている。
仕切部を構成する第１主面部４２及び第２主面部４４は、同形、同大の仕切部材１７０により構成されている。
仕切部材１７０は、比較的柔軟なプラスチックシート製であり、その両端の接続部１７２及び接続部１７４を第１袋状部３４ａと第２袋状部３４ｂとを形成するために、第１側面部７４と第２側面部７６に接着されて、第１側面部７４と第２側面部７６との間に架設される。
仕切部材１７０は、第１側面山折部９２を挟んだ面側である向こう側の第１側面谷折部９４及び手前側の第１側面谷折部９４の向こう側の面に、接続部１７２を接し合わせて接着され、且つ、第２側面山折部１０２を挟んだ面側である向こう側の第２側面谷折部１０４及び手前側の第２側面谷折部１０４の向こう側の面に、接続部１７４を接し合わせて接着されている。
更に、仕切部材１７０は、底面山折部８２の向こう側の面に、接続部１７６を接し合わせて接着されている。
向こう側の第１側面谷折部９４及び第２側面谷折部１０４と手前側の第１側面谷折部９４及び第２側面谷折部１０４との間において第１袋状部３４ａの収納空間が形成される。
また、第１袋状部３４ａに隣り合う第２袋状部３４ｂは、第１袋状部３４ａを構成する手前側の第１側面谷折部９４及び第２側面谷折部１０４と、それに対向する向こう側の第１側面谷折部９４及び第２側面谷折部１０４との間において、収納空間が形成される。
【００３２】
縁部材７０は、胴部２０と連結するための接続代７８を、その長手両端縁に形成される。接続代７８は、底面部７２及び第１側面部７４並びに第２側面部７６の一方向にのびる。
底面部７２の側部に形成される接続代８６は、底面部７２と同じ長さを備え、山折りもしくは谷折りして、最も端の領域が胴部２０と接着される。
第１側面部７４の接続代９６及び第２側面部７６の接続代１０６は、第１側面部７４及び第２側面部７６と同じ長さを備え、胴部２０と接着される。
【００３３】
第１側面山折部９２及び第１側面谷折部９４の内側で向こう側の第１曲線折曲部１３０との境界の近くにおいて、第１側面山折部９２と第１側面谷折部９４に直交して第１拡張線部１５０が形成されている。
第２側面山折部１０２及び第２側面谷折部１０４の内側で向こう側の第２曲線折曲部１４０との境界の近くにおいて、第２側面山折部１０２と第２側面谷折部１０４に直交して第２拡張線部１５２が形成されている。
そして、第１拡張線部１５０と第１側面山折部９２との交差部分は、袋状部３４に多くの被収納物Ｘを収納したときに、外方に向けて第１側面山折部９２の外側領域とともに拡張する。
【００３４】
前記縁部材７０は、一枚のポリプロピレン等のプラスチック製シートを、図１４において示すようにトムソン加工によって形成される溝により、底面部７２、第１側面部７４及び第２側面部７６に区画されることにより構成されている。
【００３５】
縁部材７０は、矩形状の底面部７２と、前記一端部を構成する底面部７２の一方向における一端から右側方向にのびて形成される、前記他端部を構成する第１側面部７４と、前記底面部７２の前記一方向における他端から左側方向にのびて形成される、前記他端部を構成する第２側面部７６とを含む。
前記底面部の前記一方向に直交する前後方向における中間に、稜線を構成する底面折曲部が形成されている。
縁部材７０は、底面部７２、第１側面部７４及び第２側面部７６によって一つの袋状部３４を形成されるように構成されており、第１袋状部３４ａに続いて向こう側から順に、同一形状の第２袋状部３４ｂ、第１袋状部３４ａ、第２袋状部３４ｂと並列されている。
【００３６】
前記第１側面部７４は、その前記前後方向における中間に、稜線を構成する第１側面折曲部９０を形成されている。
前記第２側面部７６は、その前記前後方向における中間に、稜線を構成する第２側面折曲部１００を形成されている。
前記底面折曲部８０及び前記第１側面折曲部９０間に、稜線を構成する第１傾斜折曲部１１０が斜めに形成されている。
前記底面折曲部８０及び前記第２側面折曲部１００間に、稜線を構成する第２傾斜折曲部１２０が斜めに形成されている。
【００３７】
前記底面折曲部８０及び前記第１側面折曲部９０は、それぞれ、上方にある曲線状の向こう側の第１曲線折曲部１３０及び下方にある手前側の第１曲線折曲部１３２を介して前記第１傾斜折曲部１１０に接続され、さらに前記底面折曲部８０及び前記第２側面折曲部１００は、それぞれ、上方にある曲線状の向こう側の第２曲線折曲部１４０及び下方にある手前側の第２曲線折曲部１４２を介して前記第２傾斜折曲部１２０に接続されている。
【００３８】
前記底面折曲部８０は、前記底面部７２の前記前後方向（縁部材７０を展開した状態における幅方向）における中央で外側に突出した、稜線を有する底面谷折部８４、及び前記底面谷折部８４の両側で内側に突出する底面山折部８２を含む。
前記第１側面折曲部９０は、前記第１側面の前後方向（縁部材７０を展開した状態における幅方向）における中央で内側に突出する第１側面山折部９２、及び前記第１側面山折部９２の両側で外側に突出した、稜線を有する第１側面谷折部９４を含む。
前記第２側面折曲部１００は、前記第２側面の前後方向（縁部材７０を展開した状態における幅方向）における中央で内側に突出する第２側面山折部１０２、及び前記第２側面山折部１０２の両側で外側に突出した、稜線を有する第２側面谷折部１０４を含む。
【００３９】
各袋状部３４を構成する底面部７２は、底面山折部８２と底面山折部８２との間及び第１傾斜折曲部１１０及び第３傾斜折曲部１１２との間において形成されている。
各袋状部３４を構成する底面部７２は、底面谷折部８４において手前側の底面構成材７２ａと向こう側の底面構成材７２ｂとに分割されている。
【００４０】
各袋状部３４を構成する第１側面部７４は、第１側面谷折部９４と第１側面谷折部９４との間及び第１傾斜折曲部１１０及び第３傾斜折曲部１１２もしくは第１拡張線部１５０との間において形成されている。
各袋状部３４を構成する第１側面部７４は、第１側面山折部９２において手前側の第１側面構成材７４ａと向こう側の第１側面構成材７４ｂとに分割されている。
各袋状部３４を構成する第２側面部７６は、第１側面谷折部９４と第１側面谷折部９４との間及び第２傾斜折曲部１２０及び第４傾斜折曲部１２２もしくは第２拡張線部１５２との間において形成されている。
各袋状部３４を構成する第２側面部７６は、第２側面山折部１０２において手前側の第２側面構成材７６ａと向こう側の第２側面構成材７６ｂとに分割されている。
【００４１】
各袋状部３４を構成する第１隅部６０は、向こう側の第１曲線折曲部１３０と手前側の第１曲線折曲部１３２とを結ぶ線もしくは第１拡張線部１５０と第１傾斜折曲部１１０及び第３傾斜折曲部１１２との間において形成されている。
各袋状部３４を構成する第１隅部６０は、第１側面山折部９２において手前側の隅部構成材６０ａと向こう側の隅部構成材６０ｂとに分割されている。
各袋状部３４を構成する第２隅部６２は、向こう側の第２曲線折曲部１４０と手前側の第２曲線折曲部１４２とを結ぶ線もしくは第１拡張線部１５０と第２傾斜折曲部１２０及び第４傾斜折曲部１２２との間において形成されている。
各袋状部３４を構成する第２隅部６２は、第２側面山折部１０２において手前側の隅部構成材６２ａと向こう側の隅部構成材６２ｂとに分割されている。
【００４２】
縁部材７０は、底面折曲部８０の底面谷折部８４を谷折りし、且つ、底面山折部８２を山折りして底面部７２を形成する。
縁部材７０は、第１側面部７４を向こう側の第１曲線折曲部１３０と手前側の第１曲線折曲部１３２とにおいて折り曲げて底面部７２より立ち上げ、第１傾斜折曲部１１０及び第３傾斜折曲部１１２を底面部７２と斜交させ且つ第１傾斜折曲部１１０及び第３傾斜折曲部１１２を第１側面部７４と斜交させて、第１側面山折部９２及び第１側面谷折部９４を垂直に立ち上げる（図３参照）。
縁部材７０は、第２側面部７６を向こう側の第２曲線折曲部１４０と手前側の第２曲線折曲部１４２とにおいて折り曲げて底面部７２より立ち上げ、第２傾斜折曲部１２０及び第４傾斜折曲部１２２を底面部７２と斜交させ且つ第２傾斜折曲部１２０及び第４傾斜折曲部１２２を第２側面部７６と斜交させて、第２側面山折部１０２及び第２側面谷折部１０４を垂直に立ち上げる（図３参照）。
縁部材７０は、第１傾斜折曲部１１０及び第３傾斜折曲部１１２を谷折りして、第１隅部６０を形成するとともに、第２傾斜折曲部１２０及び第４傾斜折曲部１２２を谷折りして、第２隅部６２を形成する。
【００４３】
縁部材７０は、第１側面山折部９２を内側に向けて山折りし、且つ、第１側面谷折部９４を外側に向けて谷折りして第１側面部７４を形成する。
縁部材７０は、第２側面山折部１０２を内側に向けて山折りし、且つ、第２側面谷折部１０４を外側に向けて谷折りして第２側面部７６を形成する。
手前側の底面構成材７２ａの内面と向こう側の底面構成材７２ｂの内面とは、底面谷折部８４を挟んで向き合う。
手前側の第１側面構成材７４ａの外面及び手前側の隅部構成材６０ａの外面と向こう側の第１側面構成材７４ｂの外面及び向こう側の隅部構成材６０ｂの外面とは、第１側面山折部９２を挟んで向き合う。
通常、手前側の第１側面構成材７４ａと手前側の隅部構成材６０ａとは、面一（平面状）に連続し、且つ向こう側の第１側面構成材７４ｂと向こう側の隅部構成材６０ｂとは面一（平面状）に連続する。
手前側の底面構成材７２ａと手前側の第１側面構成材７４ａ及び手前側の隅部構成材６０ａとは、第３傾斜折曲部１１２を介して、略々垂直に立ち上がる。
向こう側の底面構成材７２ｂと向こう側の第１側面構成材７４ｂ及び向こう側の隅部構成材６０ｂとは、第１傾斜折曲部１１０を介して、略々垂直に立ち上がる。
手前側の第２側面構成材７６ａの外面及び手前側の隅部構成材６２ａの外面と向こう側の第２側面構成材７６ｂの外面及び向こう側の隅部構成材６２ｂの外面とは、第２側面山折部１０２を挟んで向き合う。
通常、手前側の第２側面構成材７６ａと手前側の隅部構成材６２ａとは、面一（平面状）に連続し、且つ向こう側の第２側面構成材７６ｂと向こう側の隅部構成材６２ｂとは面一（平面状）に連続する。
手前側の底面構成材７２ａと手前側の第２側面構成材７６ａ及び手前側の隅部構成材６２ａとは、第４傾斜折曲部１２２を介して、略々垂直に立ち上がる。
向こう側の底面構成材７２ｂと向こう側の第２側面構成材７６ｂ及び向こう側の隅部構成材６２ｂとは、第２傾斜折曲部１２０を介して、略々垂直に立ち上がる。
第１側面谷折部９４と１傾斜折曲部１１０及び第３傾斜折曲部１１２とのなす角度は、正面視において鈍角である（図３参照）。
底面谷折部８４と第１傾斜折曲部１１０及び第３傾斜折曲部１１２とのなす角度は、正面視において鈍角である（図３参照）。
第２側面谷折部１０４と第２傾斜折曲部１２０及び第４傾斜折曲部１２２とのなす角度は、正面視において鈍角である（図３参照）。
底面谷折部８４と第２傾斜折曲部１２０及び第４傾斜折曲部１２２とのなす角度は、正面視において鈍角である（図３参照）。
而して、縁部材７０により、手前側から、第１袋状部３４ａ、第２袋状部３４ｂ、第１袋状部３４ａ、第２袋状部３４ｂの順に並列された袋状部３４を備えた、収納部３０が形成される。
【００４４】
底面谷折部８４と第１傾斜折曲部１１０及び第３傾斜折曲部１１２とは、それぞれ谷底が手前側の第１曲線折曲部１３２を介して連続し、且つ、第１側面谷折部９４と１傾斜折曲部１１０及び第３傾斜折曲部１１２とは、それぞれ谷底が向こう側の第１曲線折曲部１３０を介して連続する（図３参照）。
また、底面谷折部８４と第２傾斜折曲部１２０及び第４傾斜折曲部１２２とは、それぞれ谷底が手前側の第２曲線折曲部１４２を介して連続し、且つ、第２側面谷折部１０４と第２傾斜折曲部１２０及び第４傾斜折曲部１２２とは、それぞれ谷底が向こう側の第２曲線折曲部１４０を介して連続する（図３参照）。
ここにおいて、谷折りとは、平面視（開口部３２から見たとき）谷折りであり、底面視（下から見たとき）は山折りとなる。すなわち、底面谷折部８４と第１側面谷折部９４及び第２側面谷折部１０４と第１傾斜折曲部１１０及び第３傾斜折曲部１１２と第２傾斜折曲部１２０及び第４傾斜折曲部１２２とは、谷折りされたとき、平面視（開口部３２から見たとき）谷底が、底面視（下から見たとき）の稜線を構成する。
【００４５】
第１側面山折部９２及び第１側面谷折部９４と第２側面山折部１０２及び第２側面谷折部１０４とは対称であり、第１傾斜折曲部１１０及び第３傾斜折曲部１１２と第２傾斜折曲部１２０及び第４傾斜折曲部１２２とは対称である。
手前側の第１側面構成材７４ａ及び向こう側の第１側面構成材７４ｂと手前側の第２側面構成材７６ａと向こう側の第２側面構成材７６ｂとは対称である。
手前側の隅部構成材６０ａ及び向こう側の隅部構成材６０ｂと手前側の隅部構成材６２ａ及び向こう側の隅部構成材６２ｂとは対称である。
【００４６】
手前側の第１側面構成材７４ａ及び向こう側の第１側面構成材７４ｂと手前側の隅部構成材６０ａ及び向こう側の隅部構成材６０ｂと手前側の底面構成材７２ａ及び向こう側の底面構成材７２ｂとに囲繞された各袋状部３４が形成される。
手前側の第２側面構成材７６ａ及び向こう側の第２側面構成材７６ｂと手前側の隅部構成材６２ａ及び向こう側の隅部構成材６２ｂと手前側の底面構成材７２ａ及び向こう側の底面構成材７２ｂとに囲繞された各袋状部３４が形成される。
【００４７】
前記収納部３０の前記一端部（底面部７２）の直線状の稜線（底面谷折部８４）と前記収納部３０の前記他端部（第１側面部７４及び第２側面部７６）の直線状の稜線（第１側面谷折部９４及び第２側面谷折部１０４）とが、曲線状の稜線（向こう側の第１曲線折曲部１３０，手前側の第１曲線折曲部１３２，向こう側の第２曲線折曲部１４０，手前側の第２曲線折曲部１４２）を介して斜めに接続されているので、前記一端部（底面部７２）の直線状の稜線（底面谷折部８４）及び前記他端部（第１側面部７４及び第２側面部７６）の直線状の稜線（向こう側の第１曲線折曲部１３０，手前側の第１曲線折曲部１３２，向こう側の第２曲線折曲部１４０，手前側の第２曲線折曲部１４２）を挟むシート状部（手前側の底面構成材７２ａ，向こう側の底面構成材７２ｂ，手前側の第１側面構成材７４ａ，向こう側の第１側面構成材７４ｂ，手前側の第２側面構成材７６ａ，向こう側の第２側面構成材７６ｂ，手前側の隅部構成材６０ａ，向こう側の隅部構成材６０ｂ，手前側の隅部構成材６２ａ，向こう側の隅部構成材６２ｂ）とを折曲して稜線を形成しても隅部（向こう側の第１曲線折曲部１３０，手前側の第１曲線折曲部１３２，向こう側の第２曲線折曲部１４０，手前側の第２曲線折曲部１４２の付近）の角がとがって突出することなく、丸みを備える隅部となる。しかも、稜線（底面谷折部８４）と稜線（第１側面谷折部９４及び第２側面谷折部１０４）とが直交して交わることなく、前記一端部（底面部７２）と前記他端部（第１側面部７４及び第２側面部７６）とが、傾斜折曲部（第１傾斜折曲部１１０，第３傾斜折曲部１１２，第２傾斜折曲部１２０，第４傾斜折曲部１２２）を介して斜めに接続された、いわゆる面取りした構造となる。
【００４８】
図１図示実施の形態の収納具は、図１１ないし図１８図示実施の形態の収納具のように変更してもよい。
【００４９】
この発明にかかる収納具３１０は、胴部３２０と、胴部３２０の内面に設けられた、ポケット部の底隅部があまり角張っていない収納部３３０とを有している。
この収納具３１０は、複数の用紙、カード体等の被収納物Ｘを並列して合わせて収納するものであり、例えばノート、クレジットカード、名刺、小物等の収納に適している。
【００５０】
胴部３２０は、比較的硬質なプラスチック板製であり、収納部３３０を覆う適宜な広さを有する略方形状の表胴部３２２及び略方形状の裏胴部３２４を含む。
【００５１】
収納部３３０は、前記表胴部３２２と前記裏胴部３２４との間において、開口部３３２を有する。
【００５２】
収納部３３０は、底縁部３５２と右側側縁部３５４とが交わる第１隅部３６０及び底縁部３５２と左側側縁部３５６とが交わる第２隅部３６２が、傾斜折曲部によって丸みを有するいわゆる面取りされた隅部の構造を有し、底縁部３５２と右側側縁部３５４と交差する部分及び底縁部３５２と左側側縁部３５６とが交差する部分は、曲線折曲部によって角張らず、丸みを有している。
【００５３】
この収納部３３０は、被収納物Ｘを収納可能であり、前記並列された複数の袋状部３３４の各開口部３３２間の空間が伸縮自在に形成されている。
右側側縁部３５４及び左側側縁部３５６は、垂直方向にのびており、水平方向にのびる開口縁部３５８及び底縁部３５２と直交ないしは交差する。
【００５４】
収納部３３０は、底縁部３５２及び右側側縁部３５４及び左側側縁部３５６を連結して一体成形された、縁部材３７０により形成される。
【００５５】
上端に開口部３３２を有する収納部３３０を構成する縁部材３７０は、組み立てられて収納部３３０を形成された収納部３３０の下縁の両隅部が、丸みを有するいわゆる面取りされた隅部の構造を備えるように構成されている。
面取りされた隅部の構造は、収納部３３０を構成する一端部と、前記一端部以外の他端部であって前記一端部に直交する方向にのびる他端部とを有する隅部において、前記収納部３３０の前記一端部の直線状の稜線と前記収納部３３０の前記他端部の直線状の稜線とが、丸みを有する曲線状の稜線（曲線折曲部）を介して、斜めに傾斜折曲部によって接続されたことを特徴する。
【００５６】
前記縁部材３７０は、矩形状の底面部３７２と、前記一端部を構成する底面部３７２の一方向における一端からのびて形成される、前記他端部を構成する矩形状の第１側面部３７４と、及び前記底面部３７２の前記一方向における他端からのびて形成される、前記他端部を構成する矩形状の第２側面部３７６とを含む。
【００５７】
前記底面部３７２は、その前記一方向に直交する直交方向（前後方向）における中間に、稜線を構成する底面折曲部３８０を形成されている。
前記第１側面部３７４は、その前記直交方向（前後方向）における中間に、稜線を構成する第１側面折曲部３９０を形成されている。
前記第２側面部３７６は、その前記直交方向（前後方向）における中間に、稜線を構成する第２側面折曲部４００を形成されている。
前記底面折曲部３８０及び前記第１側面折曲部３９０間に、稜線を構成する第１傾斜折曲部４１０が斜めに形成され、前記底面折曲部３８０及び前記第２側面折曲部４００間に、稜線を構成する第２傾斜折曲部４２０が斜めに形成されている。
前記底面折曲部３８０及び前記第１側面折曲部３９０は、それぞれ、曲線状の向こう側の第１曲線折曲部４３０及び手前側の第１曲線折曲部４３２を介して前記第１傾斜折曲部４１０に接続されている。第１側面折曲部３９０と第１傾斜折曲部４１０とは、上方の向こう側の第１曲線折曲部４３０により斜交するように接続され、底面折曲部３８０と第１傾斜折曲部４１０とは、下方の手前側の第１曲線折曲部４３２により斜交するように接続されている。
更に、前記底面折曲部３８０及び前記第２側面折曲部４００は、それぞれ、曲線状の向こう側の第２曲線折曲部４４０及び手前側の第２曲線折曲部４４２を介して前記第２傾斜折曲部４２０に接続されている。第２側面折曲部４００と第２傾斜折曲部４２０とは、上方の向こう側の第２曲線折曲部４４０より斜交するように接続され、底面折曲部３８０と第２傾斜折曲部４２０とは、下方の手前側の第２曲線折曲部４４２により斜交するように接続されている。
【００５８】
底面折曲部３８０と第１側面折曲部３９０とは、平行で、空間をあけて並列されており、且つ、底面折曲部３８０の外側（右側端）と第１側面折曲部３９０の内側（左側端）とは、面取りされた第１隅部３６０を形成するための適宜な間隔をおいて向き合う。
縁部材３７０を展開した状態において、底面折曲部３８０の外側（右側端）と第１傾斜折曲部４１０の手前側端とは、手前側の第１曲線折曲部４３２を介して接続されており、且つ、第１側面折曲部３９０の内側（左側端）と第１傾斜折曲部４１０の向こう側端とは、向こう側の第１曲線折曲部４３０を介して接続されている。
底面折曲部３８０と第２側面折曲部４００とは、平行で、空間をあけて並列されており、且つ、底面折曲部３８０の外側（左側端）と第２側面折曲部４００の内側（右側端）とは、面取りされた第２隅部３６２を形成するための適宜な間隔をおいて向き合う。
縁部材３７０を展開した状態において、底面折曲部３８０の外側（左側端）と第２傾斜折曲部４２０の手前側端とは、手前側の第２曲線折曲部４４２を介して接続されており、且つ、第２側面折曲部４００の内側（右側端）と第２傾斜折曲部４２０の向こう側端とは、向こう側の第２曲線折曲部４４０を介して接続されている。
【００５９】
前記底面折曲部３８０は、前記底面部３７２の前記前後方向における中央において外側に向けて突出した、稜線を有する底面谷折部３８４、及び前記底面谷折部３８４の両側において内側に向けて突出する底面山折部３８２を含む。
前記第１側面折曲部３９０は、前記第１側面部３７４の前後方向（縁部材３７０を展開した状態における幅方向）における中央で内側に向けて突出する第１側面山折部３９２、及び前記第１側面山折部３９２の両側で外側に向けて突出した、稜線を有する第１側面谷折部３９４を含む。
前記第２側面折曲部４００は、前記第２側面部３７６の前後方向（縁部材３７０を展開した状態における幅方向）における中央で内側に向けて突出する第２側面山折部４０２、及び前記第２側面山折部４０２の両側で外側に向けて突出した、稜線を有する第２側面谷折部４０４を含む。
第１傾斜折曲部４１０と第３傾斜折曲部４１２とは、約９０度の角度を有しており、又、第２傾斜折曲部４２０と第４傾斜折曲部４２２とは、約９０度の角度を有している。
【００６０】
底面山折部３８２と底面谷折部３８４とは、平行で、面取りされた第１隅部３６０を形成するための適宜な間隔をおいて並列されており、底面谷折部３８４の外側（右側端）と第１側面谷折部３９４の内側（左側端）とは、面取りされた第１隅部３６０を形成するための適宜な間隔をおいて向き合う。
縁部材３７０を展開した状態において、底面谷折部３８４の外側（右側端）と第１傾斜折曲部４１０の手前側端とは、丸みを有する隅部を形成するための手前側の第１曲線折曲部４３２を介して接続されており、且つ、第１側面谷折部３９４の内側（左側端）と第１傾斜折曲部４１０の向こう側端とは、丸みを有する隅部を形成するための向こう側の第１曲線折曲部４３０を介して接続されている。
縁部材３７０を展開した状態において、底面谷折部３８４の外側（左側端）と第２傾斜折曲部４２０の手前側端とは、丸みを有する隅部を形成するための手前側の第２曲線折曲部４４２を介して接続されており、且つ、第２側面谷折部４０４の内側（右側端）と第２傾斜折曲部４２０の向こう側端とは、丸みを有する隅部を形成するための向こう側の第２曲線折曲部４４０を介して接続されている。
【００６１】
縁部材３７０を展開した状態において、向こう側の第１曲線折曲部４３０は、第１側面谷折部３９４（を延長した線）と第１傾斜折曲部４１０（を延長した線分）とに内接する円の一部の円弧により構成されている。
縁部材３７０を展開した状態において、手前側の第１曲線折曲部４３２は、底面谷折部３８４（を延長した線）と第１傾斜折曲部４１０（を延長した線分）とに内接する円の一部の円弧により構成されている。
縁部材３７０を展開した状態において、向こう側の第２曲線折曲部４４０は、第２側面谷折部４０４（を延長した線）と第１傾斜折曲部４１０（を延長した線分）とに内接する円の一部の円弧により構成されている。
縁部材３７０を展開した状態において、手前側の第２曲線折曲部４４２は、底面谷折部３８４（を延長した線）と第２傾斜折曲部４２０（を延長した線分）とに内接する円の一部の円弧により構成されている。
而して、向こう側の第１曲線折曲部４３０及び手前側の第１曲線折曲部４３２の領域は、折り曲げ易くしたために、わん曲した丸みを備える隅角部を形成される。
向こう側の第２曲線折曲部４４０及び手前側の第２曲線折曲部４４２の領域は、折り曲げ易くしたために、わん曲した丸みを備える隅角部を形成される。
【００６２】
第１側面山折部３９２と第１側面谷折部３９４とは平行で、面取りされた第１隅部３６０を形成するための適宜な間隔をおいて並列されており、第１側面谷折部３９４の内側（左側端）と底面谷折部３８４の外側（右側端）とは、面取りされた第１隅部３６０を形成するための適宜な間隔をおいて向き合う。
底面谷折部３８４と第１側面山折部３９２とは、一直線状に並んでおり、第１側面山折部３９２の内側（左側端）は、底面谷折部３８４とは接することなく、手前側の第１曲線折曲部４３２の近くに至るが間隔をおいている。
第１側面山折部３９２の内側（左側端）の近くから、第１側面谷折部３９４の内側（左側端）及び向こう側の第１曲線折曲部４３０の近くに至る、直線状の第３傾斜折曲部４１２が形成されている。
第１傾斜折曲部４１０と第３傾斜折曲部４１２とは、縁部材３７０を展開した状態における略９０度の角度を備えており、第１側面谷折部３９４の内側（左側端）から、底面山折部３８２を挟んで形成された向こう側の底面谷折部３８４と手前側の底面谷折部３８４とに向けてのびている。
第１側面山折部３９２の内側（左側端）と第３傾斜折曲部４１２の内側（左側端）とは適宜な間隔をあけて形成してもよく、又、図２２Ａ及び図２２Ｂにおいて示すように連続されてもよい。
【００６３】
第２側面山折部４０２と第２側面谷折部４０４とは、平行で、面取りされた第２隅部３６２を形成するための適宜な間隔をおいて並列されており、第２側面谷折部４０４の内側（右側端）と底面谷折部３８４の外側（左側端）とは、面取りされた第２隅部３６２を形成するための適宜な間隔をおいて向き合う。
底面谷折部３８４と第２側面山折部４０２とは、一直線状に並んでおり、第２側面山折部４０２の内側（右側端）は、底面谷折部３８４とは接することなく、手前側の第２曲線折曲部４４２の近くに至るが間隔をおいている。
第２側面山折部４０２の内側（右側端）の近くから、第２側面谷折部４０４の内側（右側端）及び向こう側の第２曲線折曲部４４０の近くに至る、直線状の第４傾斜折曲部４２２が形成されている。
第２傾斜折曲部４２０と第４傾斜折曲部４２２とは、縁部材３７０を展開した状態における略９０度の角度を備えており、第２側面谷折部４０４の内側（右側端）から、底面山折部３８２を挟んで形成された向こう側の底面谷折部３８４と手前側の底面谷折部３８４とに向けてのびている。
第２側面山折部４０２の内側（右側端）と第４傾斜折曲部４２２の内側（右側端）とは適宜な間隔をあけて形成してもよく、又、図２２Ａ及び図２２Ｂにおいて示すように連続されてもよい。
【００６４】
底面谷折部３８４と第１側面谷折部３９４及び第２側面谷折部４０４とは谷折りされている。また、第１傾斜折曲部４１０及び第３傾斜折曲部４１２と第２傾斜折曲部４２０及び第４傾斜折曲部４２２とは、谷折りされている。
而して、底面谷折部３８４と第１傾斜折曲部４１０及び第３傾斜折曲部４１２とは、それぞれ谷底が手前側の第１曲線折曲部４３２を介して連続し、且つ、第１側面谷折部３９４と１傾斜折曲部４１０及び第３傾斜折曲部４１２とは、それぞれ谷底が向こう側の第１曲線折曲部４３０を介して連続する（図３参照）。
また、底面谷折部３８４と第２傾斜折曲部４２０及び第４傾斜折曲部４２２とは、それぞれ谷底が手前側の第２曲線折曲部４４２を介して連続し、且つ、第２側面谷折部４０４と第２傾斜折曲部４２０及び第４傾斜折曲部４２２とは、それぞれ谷底が向こう側の第２曲線折曲部４４０を介して連続する（図３参照）。
ここにおいて、谷折りとは、平面視（開口部３３２から見たとき）谷折りであり、底面視（下から見たとき）は山折りとなる。すなわち、底面谷折部３８４と第１側面谷折部３９４及び第２側面谷折部４０４と第１傾斜折曲部４１０及び第３傾斜折曲部４１２と第２傾斜折曲部４２０及び第４傾斜折曲部４２２とは、谷折りされたとき、平面視（開口部３３２から見たとき）谷底が、底面視（下から見たとき）の稜線を構成する。
【００６５】
第１側面山折部３９２及び第１側面谷折部３９４と第２側面山折部４０２及び第２側面谷折部４０４とは対称であり、第１傾斜折曲部４１０及び第３傾斜折曲部４１２と第２傾斜折曲部４２０及び第４傾斜折曲部４２２とは対称である。
手前側の第１側面構成材３７４ａ及び向こう側の第１側面構成材３７４ｂと手前側の第２側面構成材３７６ａと向こう側の第２側面構成材３７６ｂとは対称である。
手前側の隅部構成材３６０ａ及び向こう側の隅部構成材３６０ｂと手前側の隅部構成材３６２ａ及び向こう側の隅部構成材３６２ｂとは対称である。
【００６６】
縁部材３７０は、胴部３２０と連結するための接続代３７８を、その長手両端縁に形成される。接続代３７８は、底面部３７２及び第１側面部３７４並びに第２側面部３７６の一方向にのびる。
底面部３７２の側部に形成される接続代３８６は、底面部３７２と同じ長さを備え、山折りもしくは谷折りして、最も端の領域が胴部３２０と接着される。
第１側面部３７４の接続代３９６及び第２側面部３７６の接続代４０６は、第１側面部３７４及び第２側面部３７６と同じ長さを備え、胴部３２０と接着される。
【００６７】
第１側面山折部３９２及び第１側面谷折部３９４の内側で向こう側の第１曲線折曲部４３０との境界の近くにおいて、第１側面山折部３９２と第１側面谷折部３９４に直交して第１拡張線部４５０が形成されている。
第２側面山折部４０２及び第２側面谷折部４０４の内側で向こう側の第２曲線折曲部４４０との境界の近くにおいて、第２側面山折部４０２と第２側面谷折部４０４に直交して第２拡張線部４５２が形成されている。
そして、第１拡張線部４５０と第１側面山折部３９２との交差部分は、袋状部３３４に多くの被収納物Ｘを収納したときに、外方に向けて第１側面山折部３９２の外側領域とともに拡張する。
【００６８】
前記縁部材３７０は、一枚のポリプロピレン等のプラスチック製シートを、図１４において示すようにトムソン加工によって形成される溝により、底面部３７２、第１側面部３７４及び第２側面部３７６に区画されることにより構成されている。
【００６９】
縁部材３７０は、矩形状の底面部３７２と、前記一端部を構成する底面部３７２の一方向における一端から右側方向にのびて形成される、前記他端部を構成する第１側面部３７４と、前記底面部３７２の前記一方向における他端から左側方向にのびて形成される、前記他端部を構成する第２側面部３７６とを含む。
前記底面部の前記一方向に直交する前後方向における中間に、稜線を構成する底面折曲部が形成されている。
【００７０】
前記第１側面部３７４は、その前記前後方向における中間に、稜線を構成する第１側面折曲部３９０を形成されている。
前記第２側面部３７６は、その前記前後方向における中間に、稜線を構成する第２側面折曲部４００を形成されている。
前記底面折曲部３８０及び前記第１側面折曲部３９０間に、稜線を構成する第１傾斜折曲部４１０が斜めに形成されている。
前記底面折曲部３８０及び前記第２側面折曲部４００間に、稜線を構成する第２傾斜折曲部４２０が斜めに形成されている。
【００７１】
前記底面折曲部３８０及び前記第１側面折曲部３９０は、それぞれ、上方にある曲線状の向こう側の第１曲線折曲部４３０及び下方にある手前側の第１曲線折曲部４３２を介して前記第１傾斜折曲部４１０に接続され、さらに前記底面折曲部３８０及び前記第２側面折曲部４００は、それぞれ、上方にある曲線状の向こう側の第２曲線折曲部４４０及び下方にある手前側の第２曲線折曲部４４２を介して前記第２傾斜折曲部４２０に接続されている。
【００７２】
前記底面折曲部３８０は、前記底面部３７２の前記前後方向（縁部材７０を展開した状態における幅方向）における中央で外側に突出した、稜線を有する底面谷折部３８４、及び前記底面谷折部３８４の両側で内側に突出する底面山折部３８２を含む。
前記第１側面折曲部３９０は、前記第１側面の前後方向（縁部材７０を展開した状態における幅方向）における中央で内側に突出する第１側面山折部３９２、及び前記第１側面山折部３９２の両側で外側に突出した、稜線を有する第１側面谷折部３９４を含む。
前記第２側面折曲部４００は、前記第２側面の前後方向（縁部材７０を展開した状態における幅方向）における中央で内側に突出する第２側面山折部４０２、及び前記第２側面山折部４０２の両側で外側に突出した、稜線を有する第２側面谷折部４０４を含む。
【００７３】
袋状部３３４を構成する底面部３７２は、底面山折部３８２と底面山折部３８２との間及び第１傾斜折曲部４１０及び第３傾斜折曲部４１２との間において形成されている。
袋状部３３４を構成する底面部３７２は、底面谷折部３８４において手前側の底面構成材３７２ａと向こう側の底面構成材３７２ｂとに分割されている。
【００７４】
袋状部３３４を構成する第１側面部３７４は、第１側面谷折部３９４と第１側面谷折部３９４との間及び第１傾斜折曲部４１０及び第３傾斜折曲部４１２もしくは第１拡張線部４５０との間において形成されている。
袋状部３３４を構成する第１側面部３７４は、第１側面山折部３９２において手前側の第１側面構成材３７４ａと向こう側の第１側面構成材３７４ｂとに分割されている。
袋状部３３４を構成する第２側面部３７６は、第１側面谷折部３９４と第１側面谷折部３９４との間及び第２傾斜折曲部４２０及び第４傾斜折曲部４２２もしくは第２拡張線部４５２との間において形成されている。
袋状部３３４を構成する第２側面部３７６は、第２側面山折部４０２において手前側の第２側面構成材３７６ａと向こう側の第２側面構成材３７６ｂとに分割されている。
【００７５】
袋状部３３４を構成する第１隅部３６０は、向こう側の第１曲線折曲部４３０と手前側の第１曲線折曲部４３２とを結ぶ線もしくは第１拡張線部４５０と第１傾斜折曲部４１０及び第３傾斜折曲部４１２との間において形成されている。
袋状部３３４を構成する第１隅部３６０は、第１側面山折部３９２において手前側の隅部構成材３６０ａと向こう側の隅部構成材３６０ｂとに分割されている。
袋状部３３４を構成する第２隅部３６２は、向こう側の第２曲線折曲部４４０と手前側の第２曲線折曲部４４２とを結ぶ線もしくは第１拡張線部４５０と第２傾斜折曲部４２０及び第４傾斜折曲部４２２との間において形成されている。
袋状部３３４を構成する第２隅部３６２は、第２側面山折部４０２において手前側の隅部構成材３６２ａと向こう側の隅部構成材３６２ｂとに分割されている。
【００７６】
縁部材３７０は、底面折曲部３８０の底面谷折部３８４を谷折りし、且つ、底面山折部３８２を山折りして底面部３７２を形成する。
縁部材３７０は、第１側面部３７４を向こう側の第１曲線折曲部４３０と手前側の第１曲線折曲部４３２とにおいて折り曲げて底面部３７２より立ち上げ、第１傾斜折曲部４１０及び第３傾斜折曲部４１２を底面部３７２と斜交させ且つ第１傾斜折曲部４１０及び第３傾斜折曲部４１２を第１側面部３７４と斜交させて、第１側面山折部３９２及び第１側面谷折部３９４を垂直に立ち上げる（図１４〜図１７参照）。
縁部材３７０は、第２側面部３７６を向こう側の第２曲線折曲部４４０と手前側の第２曲線折曲部４４２とにおいて折り曲げて底面部３７２より立ち上げ、第２傾斜折曲部４２０及び第４傾斜折曲部４２２を底面部３７２と斜交させ且つ第２傾斜折曲部４２０及び第４傾斜折曲部４２２を第２側面部３７６と斜交させて、第２側面山折部４０２及び第２側面谷折部４０４を垂直に立ち上げる（図１４〜図１７参照）。
縁部材３７０は、第１傾斜折曲部４１０及び第３傾斜折曲部４１２を谷折りして、第１隅部３６０を形成するとともに、第２傾斜折曲部４２０及び第４傾斜折曲部４２２を谷折りして、第２隅部３６２を形成する。
【００７７】
縁部材３７０は、第１側面山折部３９２を内側に向けて山折りし、且つ、第１側面谷折部３９４を外側に向けて谷折りして第１側面部３７４を形成する。
縁部材３７０は、第２側面山折部４０２を内側に向けて山折りし、且つ、第２側面谷折部４０４を外側に向けて谷折りして第２側面部３７６を形成する。
手前側の底面構成材３７２ａの内面と向こう側の底面構成材３７２ｂの内面とは、底面谷折部３８４を挟んで向き合う。
手前側の第１側面構成材３７４ａの外面及び手前側の隅部構成材３６０ａの外面と向こう側の第１側面構成材３７４ｂの外面及び向こう側の隅部構成材３６０ｂの外面とは、第１側面山折部３９２を挟んで向き合う。
通常、手前側の第１側面構成材３７４ａと手前側の隅部構成材３６０ａとは、面一（平面状）に連続し、且つ向こう側の第１側面構成材３７４ｂと向こう側の隅部構成材３６０ｂとは面一（平面状）に連続する。
手前側の底面構成材３７２ａと手前側の第１側面構成材３７４ａ及び手前側の隅部構成材３６０ａとは、第３傾斜折曲部４１２を介して、略々垂直に立ち上がる。
向こう側の底面構成材３７２ｂと向こう側の第１側面構成材３７４ｂ及び向こう側の隅部構成材３６０ｂとは、第１傾斜折曲部４１０を介して、略々垂直に立ち上がる。
手前側の第２側面構成材３７６ａの外面及び手前側の隅部構成材３６２ａの外面と向こう側の第２側面構成材３７６ｂの外面及び向こう側の隅部構成材３６２ｂの外面とは、第２側面山折部４０２を挟んで向き合う。
通常、手前側の第２側面構成材３７６ａと手前側の隅部構成材３６２ａとは、面一（平面状）に連続し、且つ向こう側の第２側面構成材３７６ｂと向こう側の隅部構成材３６２ｂとは面一（平面状）に連続する。
手前側の底面構成材３７２ａと手前側の第２側面構成材３７６ａ及び手前側の隅部構成材３６２ａとは、第４傾斜折曲部４２２を介して、略々垂直に立ち上がる。
向こう側の底面構成材３７２ｂと向こう側の第２側面構成材３７６ｂ及び向こう側の隅部構成材３６２ｂとは、第２傾斜折曲部４２０を介して、略々垂直に立ち上がる。
【００７８】
底面谷折部３８４と第１傾斜折曲部４１０及び第３傾斜折曲部４１２とは、それぞれ谷底が手前側の第１曲線折曲部４３２を介して連続し、且つ、第１側面谷折部３９４と１傾斜折曲部４１０及び第３傾斜折曲部４１２とは、それぞれ谷底が向こう側の第１曲線折曲部４３０を介して連続する（図３参照）。
また、底面谷折部３８４と第２傾斜折曲部４２０及び第４傾斜折曲部４２２とは、それぞれ谷底が手前側の第２曲線折曲部４４２を介して連続し、且つ、第２側面谷折部４０４と第２傾斜折曲部４２０及び第４傾斜折曲部４２２とは、それぞれ谷底が向こう側の第２曲線折曲部４４０を介して連続する（図３参照）。
ここにおいて、谷折りとは、平面視（開口部３３２から見たとき）谷折りであり、底面視（下から見たとき）は山折りとなる。すなわち、底面谷折部３８４と第１側面谷折部３９４及び第２側面谷折部４０４と第１傾斜折曲部４１０及び第３傾斜折曲部４１２と第２傾斜折曲部４２０及び第４傾斜折曲部４２２とは、谷折りされたとき、平面視（開口部３３２から見たとき）谷底が、底面視（下から見たとき）の稜線を構成する。
【００７９】
第１側面山折部３９２及び第１側面谷折部３９４と第２側面山折部４０２及び第２側面谷折部４０４とは対称であり、第１傾斜折曲部４１０及び第３傾斜折曲部４１２と第２傾斜折曲部４２０及び第４傾斜折曲部４２２とは対称である。
手前側の第１側面構成材３７４ａ及び向こう側の第１側面構成材３７４ｂと手前側の第２側面構成材３７６ａと向こう側の第２側面構成材３７６ｂとは対称である。
手前側の隅部構成材３６０ａ及び向こう側の隅部構成材３６０ｂと手前側の隅部構成材３６２ａ及び向こう側の隅部構成材３６２ｂとは対称である。
【００８０】
手前側の第１側面構成材３７４ａ及び向こう側の第１側面構成材３７４ｂと手前側の隅部構成材３６０ａ及び向こう側の隅部構成材３６０ｂと手前側の底面構成材３７２ａ及び向こう側の底面構成材３７２ｂとに囲繞された袋状部３３４が形成される。
手前側の第２側面構成材３７６ａ及び向こう側の第２側面構成材３７６ｂと手前側の隅部構成材３６２ａ及び向こう側の隅部構成材３６２ｂと手前側の底面構成材３７２ａ及び向こう側の底面構成材３７２ｂとに囲繞された袋状部３３４が形成される。
【００８１】
上端に開口部３３２を有する収納部３３０を有する収納具３１０の隅部の構造は、図１９において示すように、表胴部３２２及び裏胴部３２４と一体的に形成されてもよい。
すなわち、縁部材３７０として独立して形成されることなく、表胴部３２２の下端と裏胴部３２４の下端との間に、矩形状の底面部３７２を連設されているので、容易に位置決めをして、隅部を形成することができる。
前記底面部３７２は、前記一方向に直交する前後方向における中間に、稜線を構成する底面折曲部３８０が形成され、そして、前記一端部を構成する底面部３７２の一方向における一端からのびて形成される、前記他端部を構成する第１側面部３７４、及び前記底面部３７２の前記一方向における他端からのびて形成される、前記他端部を構成する第２側面部３７６を形成される。
前記第１側面部３７４は、その前後方向における中間に、稜線を構成する第１側面折曲部３９０が形成され、前記第２側面部３７６は、その前後方向における中間に、稜線を構成する第２側面折曲部４００が形成され、前記底面折曲部３８０及び前記第１側面折曲部３９０間に、稜線を構成する第１傾斜折曲部４１０が斜めに形成され、前記底面折曲部３８０及び前記第２側面折曲部４００間に、稜線を構成する第２傾斜折曲部４２０が斜めに形成されている。
前記底面折曲部３８０及び前記第１側面折曲部３９０は、それぞれ、曲線状の向こう側の第１曲線折曲部４３０及び手前側の第１曲線折曲部４３２を介して前記第１傾斜折曲部４１０に接続され、さらに前記底面折曲部３８０及び前記第２側面折曲部４００は、それぞれ、曲線状の向こう側の第２曲線折曲部４４０及び手前側の第２曲線折曲部４４２を介して前記第２傾斜折曲部４２０に接続されている。
【００８２】
更に、図１９図示実施の形態の収納具は、図２０及び図２１図示実施の形態の収納具のように変更してもよい。
第１側面部５７４及び第２側面部５７６は、胴部５２０の左側及び右側より外方に向けて長くのびることなく、部分的に底面部５７２に連設され、第１側面部５７４及び第２側面部５７６の大部分を、表胴部５２２又は裏胴部５２４の右側端縁及び左側端縁に延設されてもよい。
前記底面部５７２の前記一方向に直交する前後方向における中間の、稜線を構成する底面折曲部５８０、前記第１側面部５７４の前記直交方向における中間の、稜線を構成する第１側面折曲部５９０の一部分及び前記第２側面部５７６の前記直交方向における中間の、稜線を構成する第２側面折曲部６００の一部分が、表胴部５２２及び裏胴部５２４の幅方向にのびる。
そして、第１側面部５７４及び第２側面部５７６の大部分は、第１側面折曲部５９０及び第２側面折曲部６００が表胴部５２２及び裏胴部５２４の左側端縁及び右側端縁に沿ってのびる。
表胴部５２２と裏胴部５２４とを対向させ、裏胴部５２４に連設された第１側面部５７４と第２側面部５７６とを内側に向けて折り曲げて第１側面部５７４と第２側面部５７６とを対向させる。
そして、底面部５７２に連設された第１側面部５７４と第２側面部５７６とを内側に向けて折り曲げて、第１側面部５７４と第２側面部５７６とを対向させる。
裏胴部５２４に連設された第１側面部５７４と第２側面部５７６との下端縁の近傍と、底面部５７２に連設された第１側面部５７４と第２側面部５７６の上端縁の近傍とを接し合わせ接着する。
而して、表胴部５２２と裏胴部５２４との間に底縁部５５２、右側側縁部５５４及び左側側縁部５５６を形成される。
【００８３】
なお、第１傾斜折曲部１１０は、図２３に示すように、少なくとも一部分が途切れていてもよい。同様に、第２傾斜折曲部１２０などの他の傾斜折曲部も、少なくとも一部分が途切れていてもよい。
また、底面折曲部８０の底面谷折部８４や第１側面折曲部９０の第１側面谷折部９４も、図２４に示すように、それぞれ、少なくとも一部分が途切れていてもよい。同様に、他の谷折部や山折部となる折曲部の少なくとも一部分が途切れていてもよい。
さらに、傾斜折曲部と谷折部や山折部となる折曲部とは、それぞれ、少なくとも一部分が途切れていてもよい。
【符号の説明】
【００８４】
１０，３１０  収納具
２０，３２０，５２０  胴部
２２，３２２，５２２  表胴部
２４，３２４，５２４  裏胴部
３０，３３０  収納部
３２，３３２  開口部
３４，３３４  袋状部
３４ａ  第１袋状部
３４ｂ  第２袋状部
４２  第１主面部
４４  第２主面部
５２，３５２，５５２  底縁部
５４，３５４，５５４  右側側縁部
５６，３５６，５５６  左側側縁部
５８，３５８  開口縁部
６０，３６０  第１隅部
６０ａ，６２ａ，３６０ａ，３６２ａ  手前側の隅部構成材
６０ｂ，６２ｂ，３６０ｂ，３６２ｂ  向こう側の隅部構成材
６２，３６２  第２隅部
７０，３７０  縁部材
７２，３７２，５７２  底面部
７２ａ，３７２ａ  手前側の底面構成材
７２ｂ，３７２ｂ  向こう側の底面構成材
７４，３７４，５７４  第１側面部
７４ａ，３７４ａ  手前側の第１側面構成材
７４ｂ，３７４ｂ  向こう側の第１側面構成材
７６，３７６，５７６  第２側面部
７６ａ，３７６ａ  手前側の第２側面構成材
７６ｂ，３７６ｂ  向こう側の第２側面構成材
７８，８６，９６，１０６，３７８，３８６，３９６，４０６  接続代
８０，３８０，５８０  底面折曲部
８２，３８２  底面山折部
８４，３８４  底面谷折部
９０，３９０，５９０  第１側面折曲部
９２，３９２  第１側面山折部
９４，３９４  第１側面谷折部
１００，４００，６００  第２側面折曲部
１０２，４０２  第２側面山折部
１０４，４０４  第２側面谷折部
１１０，４１０  第１傾斜折曲部
１１２，４１２  第３傾斜折曲部
１２０，４２０  第２傾斜折曲部
１２２，４２２  第４傾斜折曲部
１３０，４３０  向こう側の第１曲線折曲部
１３２，４３２  手前側の第１曲線折曲部
１４０，４４０  向こう側の第２曲線折曲部
１４２，４４２  手前側の第２曲線折曲部
１５０，４５０  第１拡張線部
１５２，４５２  第２拡張線部
１７０  仕切部材
１７２，１７４，１７６  接続部
Ｘ  被収納物
【図１】
0005629711.tif 000002
【図２】
0005629711.tif 000003
【図３Ａ】
0005629711.tif 000004
【図３Ｂ】
0005629711.tif 000005
【図３Ｃ】
0005629711.tif 000006
【図３Ｄ】
0005629711.tif 000007
【図３Ｅ】
0005629711.tif 000008
【図３Ｆ】
0005629711.tif 000009
【図４Ａ】
0005629711.tif 000010
【図４Ｂ】
0005629711.tif 000011
【図４Ｃ】
0005629711.tif 000012
【図５Ａ】
0005629711.tif 000013
【図５Ｂ】
0005629711.tif 000014
【図５Ｃ】
0005629711.tif 000015
【図６】
0005629711.tif 000016
【図７】
0005629711.tif 000017
【図８】
0005629711.tif 000018
【図９】
0005629711.tif 000019
【図１０】
0005629711.tif 000020
【図１１】
0005629711.tif 000021
【図１２】
0005629711.tif 000022
【図１３】
0005629711.tif 000023
【図１４】
0005629711.tif 000024
【図１５】
0005629711.tif 000025
【図１６Ａ】
0005629711.tif 000026
【図１６Ｂ】
0005629711.tif 000027
【図１７Ａ】
0005629711.tif 000028
【図１７Ｂ】
0005629711.tif 000029
【図１８】
0005629711.tif 000030
【図１９】
0005629711.tif 000031
【図２０】
0005629711.tif 000032
【図２１】
0005629711.tif 000033
【図２２Ａ】
0005629711.tif 000034
【図２２Ｂ】
0005629711.tif 000035
【図２３】
0005629711.tif 000036
【図２４】
0005629711.tif 000037
【図２５】
0005629711.tif 000038